(57)【要約】【課題】未使用時に容易に折り畳むことができ、持ち運び及び収納する際に嵩張らない折り畳み式バケツを提供する。【解決手段】折り畳み式バケツ１は、可撓性を有する軟質材料からなる胴体部４と、前記胴体部４に用いられる材料よりも硬質の材料からなり、円環状に形成された下端部に前記胴体部４が連設される上部枠体３と、前記胴体部４に用いられる材料よりも硬質の材料からなり、前記胴体部４の下端部に連設され、前記上部枠体３よりも径小な円形の面を有する下部枠体５と、を備え、前記胴体部４には、複数の環状の折目部４１が設けられ、前記上部枠体３側から前記下部枠体５側に向かって、前記折目部４１に沿って山折りと谷折りを交互に繰り返し折り返されることによって、前記胴体部４及び前記下部枠体５が前記上部枠体３の内壁内側に同心円状に畳み込まれる。【選択図】図１
2012246044.tif 000002
【特許請求の範囲】
【請求項１】
下方に向かって先細り形状に一体形成されてなる折り畳み式バケツであって、
可撓性を有する軟質材料からなる胴体部と、
前記胴体部に用いられる材料よりも硬質の材料からなり、円環状に形成された下端部に前記胴体部が連設される上部枠体と、
前記胴体部に用いられる材料よりも硬質の材料からなり、前記胴体部の下端部に連設され、前記上部枠体よりも径小な円形の面を有する下部枠体と、を備え、
前記胴体部には、複数の環状の折目部が設けられ、前記上部枠体側から前記下部枠体側に向かって、前記折目部に沿って山折りと谷折りが交互に繰り返し折り返されることによって、前記胴体部及び前記下部枠体が前記上部枠体の内壁内側に同心円状に畳み込まれることを特徴とする折り畳み式バケツ。
【請求項２】
前記上部枠体の外周面には、吊下孔を有する吊下部を備えることを特徴とする請求項１に記載の折り畳み式バケツ。
【請求項３】
前記胴体部には、前記胴体部の折り曲げ方向に対応する薄肉部が設けられ、
前記薄肉部は、前記胴体部の外壁及び内壁に、各壁面をえぐったような形状で形成されてなり、
前記胴体部の外壁に設けた薄肉部と、前記胴体部の内壁に設けた薄肉部とが交互に配置され、
各薄肉部に設けられた前記折目部で山折り及び谷折りがなされて、前記胴体部が畳み込まれることを特徴とする請求項１または２に記載の折り畳み式バケツ。
【発明の詳細な説明】
【技術分野】
【０００１】
本発明は、未使用時に容易に折り畳むことができる折り畳み式バケツに関する。
【背景技術】
【０００２】
従来、防水布を用いて折り畳み可能に構成されたバケツや、使用時には連結された複数の筒を伸張させ、収納時にはバケツの開口部分を上から押さえて、最大径を有する最上部の筒に下位の筒を順次格納する入れ子構造をなしたバケツが提案されている（例えば、特許文献１参照）。
【先行技術文献】
【特許文献】
【０００３】
【特許文献１】実用新案登録第３０１１６５８号
【発明の概要】
【発明が解決しようとする課題】
【０００４】
しかしながら、入れ子構造によって折り畳んだ場合であっても、最上部の筒の高さより小さく折り畳むことはできず、より小さく折り畳むことのできる折り畳み式バケツが望まれていた。
【課題を解決するための手段】
【０００５】
本発明は、上述した技術背景に鑑み、未使用時に容易に折り畳むことができ、持ち運び及び収納する際に嵩張らない折り畳み式バケツの提供を目的とする。
【０００６】
即ち、本発明は下記［１］〜［３］に記載の構成を有する。
【０００７】
［１］  下方に向かって先細り形状に一体形成されてなる折り畳み式バケツであって、
可撓性を有する軟質材料からなる胴体部と、
前記胴体部に用いられる材料よりも硬質の材料からなり、円環状に形成された下端部に前記胴体部が連設される上部枠体と、
前記胴体部に用いられる材料よりも硬質の材料からなり、前記胴体部の下端部に連設され、前記上部枠体よりも径小な円形の面を有する下部枠体と、を備え、
前記胴体部には、複数の環状の折目部が設けられ、前記上部枠体側から前記下部枠体側に向かって、前記折目部に沿って山折りと谷折りが交互に繰り返し折り返されることによって、前記胴体部及び前記下部枠体が前記上部枠体の内壁内側に同心円状に畳み込まれることを特徴とする折り畳み式バケツ。
【０００８】
［２］  前記上部枠体の外周面には、吊下孔を有する吊下部を備えることを特徴とする前項１に記載の折り畳み式バケツ。
【０００９】
［３］  前記胴体部には、前記胴体部の折り曲げ方向に対応する薄肉部が設けられ、
前記薄肉部は、前記胴体部の外壁及び内壁に、各壁面をえぐったような形状で形成されてなり、
前記胴体部の外壁に設けた薄肉部と、前記胴体部の内壁に設けた薄肉部とが交互に配置され、
各薄肉部に設けられた前記折目部で山折り及び谷折りがなされて、前記胴体部が畳み込まれることを特徴とする前項１または２に記載の折り畳み式バケツ。
【発明の効果】
【００１０】
上記［１］に記載の発明によれば、胴体部に折目部が設けられて、胴体部及び下部枠体が上部枠体の内壁内側に同心円状に畳み込まれるので、未使用時には薄く折り畳むことができる。また、薄く折り畳むことができるので嵩張らず、携帯性及び収納性に優れている。
【００１１】
上部枠体及び下部枠体の材料は、胴体部よりも硬度の高い材料を用いているので、バケツの変形を防止し、バケツ内に貯留した水などを注いだり、捨てたりする作業を容易に行なうことができる。
【００１２】
上記［２］に記載の発明によれば、上部枠体に吊下部を備えているので、バケツを折り畳んだ状態でフックなどに吊り下げて収納する、或いは持ち運び時の携行品などに吊下げることもでき、収納性及び可搬性に優れている。
【００１３】
上記［３］に記載の発明によれば、折り曲げ方向に対応した薄肉部が胴体部の外壁及び内壁に交互に設けられているので、薄肉部によって折り畳み作業に必要な折り曲げ力が低減され、折り曲げ作業が容易になる。
【図面の簡単な説明】
【００１４】
【図１】本発明の一実施形態に係る折り畳み式バケツの一例について説明する説明図である。
【図２】図１に係る折り畳み状態の折り畳み式バケツを開口部側から見た場合の一例について説明する説明図である。
【図３】図１に係る折りたたみ状態の折り畳み式バケツを底部側から見た場合の一例について説明する説明図である。
【図４】図１に係る折り畳み式バケツのＡ―Ａ面における断面図である。
【図５】図１に係る折り畳み式バケツの折り畳み状態の一例について説明する説明図である。
【図６】図１に係る折り畳み式バケツを壁から吊り下げた状態の一例について説明する説明図である。
【図７】図１に係る折り畳み式バケツの胴体部の構造の一例について説明する説明図である。
【発明を実施するための形態】
【００１５】
以下、図面を参照して、本発明の実施形態について説明する。
【００１６】
図１は、折り畳み式バケツ１の一例について説明する説明図、図２は、図１の折り畳み状態の折り畳み式バケツ１を開口部側から見た場合の一例について説明する説明図、図３は、図１の折りたたみ状態の折り畳み式バケツ１を底部側から見た場合の一例について説明する説明図、図４は、図１の折り畳み式バケツ１のＡ―Ａ面における断面図、図５は、図１の折り畳み式バケツ１の折り畳み状態の一例について説明する説明図、図６は、図１の折り畳み式バケツ１を壁から吊り下げた状態の一例について説明する説明図である。
【００１７】
図１〜７に示す折り畳み式バケツ１は、水汲みなどに使用される円錐台形状に形成されたものであり、未使用時には折り畳み可能に構成されているものである。
【００１８】
折り畳み式バケツ１は、上部枠体３、胴体部４、下部枠体５を備え、射出成形によって下方向に向かって先細り形状に一体形成されてなるものである。
【００１９】
（上部枠体）
上部枠体３は、後述する胴体部４に用いられる材料よりも硬質な材料からなり、円環状に形成されて折り畳み式バケツ１の開口部となるものである。
【００２０】
上部枠体３の材料には、熱可塑性プラスチックのうち比較的硬度の高いものが用いられ、例えば、ポリプロピレンやポリエチレンなどが好適に用いられる。
【００２１】
図４の断面図に示すように、上部枠体３は、下端部が開口状態に形成された、下向き形状コの字状に形成されている。上部枠体３の外壁及び内壁の間に空隙が設けられることによって、折り畳み式バケツ１の軽量化ができるとともに、材料コストを抑えることができる。
【００２２】
上部枠体３の外壁下端部には、吊下部２が設けられ、吊下部２が設けられた箇所の対向する位置の内壁には、折り畳み式バケツ１に貯留された水などを注水するための注水口３１が設けられている。
【００２３】
本実施形態では、注水口３１が上部枠体３の内壁が凹んだ形状に形成されるため、上部枠体３の注水口３１付近の強度が低下しないように、注水口３１付近に相当する上部枠体３の空隙に、補強材として合成樹脂などを注入した補強部３２が設けられる。
【００２４】
（吊下部）
吊下部２は、例えば、板状で三角形状に形成され、その中央付近に吊下孔２１が設けられる。吊下孔２１を設けることにより、折り畳み式バケツ１を折り畳んだ状態で、例えば、壁面Ａに設けたフックなどに吊下げることが可能になるので、収納可能な範囲が広がる。また、持ち運び時にはバッグなどの携行品などに吊下げるのであってもよい。
【００２５】
上部枠体３に吊下部２を備えた折り畳み式バケツ１は、折り畳み式バケツ１を折り畳んだ状態でフックなどに吊り下げて収納する、或いは持ち運び時の携行品などに吊下げることもできるので、収納性及び可搬性に優れている。
【００２６】
吊下孔２１は、孔の径寸法が径大であるほど、吊下げの適用範囲が広がるので好ましいが、吊下孔２１の径寸法は、吊下部２の材質及び形状に基づいて適宜設定されるのであってよい。
【００２７】
吊下部２の材料には、上部枠体３から突出して形成されるものであるので、可撓性を有する軟質材料が採用されることが好ましいが、可撓性のない材料が採用されるのであってもよい。
【００２８】
また、吊下部２の形状は、板状や三角形状に限定されるものではなく、吊下孔２１を形成することが可能な形状であれば、特に限定するものではない。
【００２９】
上部枠体３の外壁には、把手部６を取り付けるための２つの取付孔が、外周面で対向する位置にそれぞれ設けられている。
【００３０】
（胴体部）
胴体部４は、可撓性を有する軟質材料からなり、上部枠体３の内壁下端部に連設されている。
【００３１】
胴体部４の材料である軟質材料には、例えば、射出成形に適した熱可塑性エラストマーが採用される。例えば、軽量化、コストダウン及び性能向上が容易であることから、オレフィン系熱可塑性エラストマーが好適に用いられる。
【００３２】
胴体部４には、環状の折目部４１及び薄肉部４２が複数設けられている。
【００３３】
折目部４１は、薄肉部４２の中央付近の線状部分であり、当該折目部４１に沿って胴体部４が折り曲げられるものである。
【００３４】
胴体部４の外面形状は、図４に示すように、鉛直断面視でジグザグに波打ちながら、下方向に先細り形状となっている。胴体部４は、鉛直断面視でジグザグに形成されることにより、容易に折り畳むことができる。
【００３５】
薄肉部４２は、胴体部４の外壁または内壁の各折目部４１の上下部分において胴体部４の肉厚が薄くなるように、各壁面をえぐったような形状で形成される。薄肉部４２は、胴体部４の折り曲げ方向に対応して設けられており、各薄肉部４２に設けられた折目部４１で山折り及び谷折りがなされて、前記胴体部４が畳み込まれる。
【００３６】
胴体部４の内壁をえぐった薄肉部４２では外周面が谷折り、外壁をえぐった薄肉部４２では山折りされる。
【００３７】
図７に基づいて薄肉部４２の構成について詳述すると、各薄肉部４２は、胴体部４の外壁に設けた薄肉部４２と、胴体部４の内壁に設けた薄肉部４２とが交互に配置されて構成される。
【００３８】
胴体部４の折目部４１近傍の折り曲げ時に内側になる面（例えば、山折りした際には、折り畳み式バケツ１の内面）は平坦な面であるが、その裏面には、折目部４１に向かって胴体部４の肉厚が漸減する形状に形成された薄肉部４２が設けられる。
【００３９】
薄肉部４２の肉厚が薄過ぎると強度が不足し、肉厚が厚過ぎると折り畳み操作に支障を来たす。本実施例では、例えば、胴体部４の平坦な面の厚み寸法が約３．０ｍｍ前後に対し、薄肉部４２の最も肉厚の薄い箇所の厚み寸法は、約０．８ｍｍ〜１．０ｍｍに設定されている。
【００４０】
尚、胴体部４及び薄肉部４２の肉厚は、胴体部４に用いる材料の硬度によって適宜設定されるものであり、これに限定されるものではない。
【００４１】
薄肉部４２において胴体部４の最も肉厚の薄い箇所が折目部４１となるので、折り曲げ作業を容易に行なうことができる。
【００４２】
以降では、山折りされる部位を山折り部４１１、谷折りされる部位を谷折り部４１２と定義する。
【００４３】
山折り部４１１と谷折り部４１２は、上部枠体側３から下部枠体側５に向かって、折目部４１に沿って交互に繰り返し折り返されることにより、胴体部４が上部枠体３の内壁内側に同心円状に畳み込まれる。
【００４４】
図２に示すように、胴体部４を畳み込んだ状態を開口部側から見た場合に、上部枠体３の内壁内側に胴体部４の谷折り部４１２が同心円状に並んでいることがわかる。
【００４５】
また、図３に示すように、胴体部４を畳み込んだ状態を底壁５１側から見た場合に、上部枠体３の内壁内側に胴体部４の山折り部４１１が同心円状に並んでいることがわかる。
【００４６】
各折目部４１の径寸法は、上部枠体３側から下部枠体５側に向かって、次第に径小となるように設定されているので、上部枠体３の内壁内側に同心円状に胴体部４を畳み込むことができる。
【００４７】
本実施例における薄肉部４２が、胴体部４の肉厚を漸減する形状であれば、応力集中が緩和されて薄肉部４２が破断する可能性が低減されるので好ましいが、特にこの形状に限定されるものではない。
【００４８】
胴体部４の谷折り部４１２から山折り部４１１の長さは、山折り部４１１から谷折り部４１２の長さよりも長くなるように設定するのであってもよい。
【００４９】
（下部枠体）
下部枠体５は、胴体部４に用いられる材料よりも硬質の材料からなり、胴体部４の下端部に連設されてなり、折り畳み式バケツ１の底部を形成するものである。
【００５０】
下部枠体５は、上部枠体３の径よりも径小な円形の面を有し、当該円形の面が折り畳み式バケツ１の底壁５１となる。
【００５１】
下部枠体５の底壁５１は、下部枠体５が形成する外壁の下端部より上になる位置、換言すると、折り畳み式バケツ１を載置した場合であっても載置面に当接しない位置に形成される。
【００５２】
下部枠体５の材料は、上部枠体３と同様に胴体部４に用いられる材料よりも硬質の材料が採用され、熱可塑性プラスチックのうち比較的硬度の高いもの、例えば、ポリプロピレンやポリエチレンなどが好適に用いられる。
【００５３】
（把手部）
把手部６は、胴体部４に用いられる材料よりも硬質な材料からなり、上部枠体３の外壁に設けられた取付孔に取り付けられて、かつ回動可能に構成される。把手部６に用いられる材料は、上述した上部枠体３或いは下部枠体５と同様の材料を用いるとよい。
【００５４】
把手部６は、例えば、半円状に形成され、把手部６の両端部内側には、取付孔に取り付けるための球形状の突起部が形成されている。
【００５５】
突起部は、上部枠体３の取付孔に押し込むように挿入された後、上部枠体３の外壁に突起部が係留するような形状、例えば、突起部の最大径が、取付孔の径よりも径大、且つ押し込むように挿入することが可能な大きさに形成されている。
【００５６】
把手部６が取り付けられた上部枠体３の取付孔付近は、把手部６を使用することによる引張荷重などによる変形を防止するため、必要に応じて適宜補強するなどすればよい。
【００５７】
尚、把手部６及び突起部の形状は、これに限定されるものではない。
【００５８】
上述したような構成により、胴体部４は、上部枠体３側から下部枠体５側に向かって、山折りと谷折りを折目部４１に沿って交互に繰り返し折り返されることによって、胴体部４及び下部枠体５が上部枠体３の内壁内側に同心円状に畳み込まれる。
【００５９】
（製造方法）
以降では、折り畳み式バケツ１の製造方法について説明する。
【００６０】
図４及び図５に示す網掛け部分は、網掛けの種類によって異なる材料を使用していることを示す。本実施形態では、射出成形によって材料毎に成形が行なわれる。
【００６１】
上部枠体３及び下部枠体５をそれぞれ形成するための成形用金型の内部に、成形用材料である熱可塑性プラスチックを加熱溶融させて注入し、上部枠体３及び下部枠体５を成形する。
【００６２】
続いて、胴体部４及び吊下部２を一体成形可能な成形用金型に、上部枠体３及び下部枠体５の成形品をインサートした状態で、胴体部４及び吊下部２の材料である熱可塑性エラストマー材料を加熱溶融させて注入する。
【００６３】
上述したインサート成形によって、上部枠体３、胴体部４及び下部枠体５を下方に向かって先細り形状に一体成形した成形品を得る。
【００６４】
尚、胴体部４と吊下部２を別体の成形用金型で成形するのであってもよい。
【００６５】
その場合には、上部枠体３及び下部枠体５の成形品を胴体部４の成形用金型にインサートして上部枠体３、胴体部４及び下部枠体５を一体成形した後、吊下部２の成形用金型に成形品をインサートした状態で、加熱溶融した吊下部２の材料、例えば熱可塑性エラストマーを注入して、上部枠体３の外壁下端部と吊下部２の一端とを一体成形すればよい。
【００６６】
以上説明した上部枠体３、胴体部４、下部枠体５及び吊下部２に用いられる材料は、上述した材料に限定されるものではなく、少なくとも射出成形可能な材料であり、且つ胴体部４に用いられる材料よりも硬質な材料で上部枠体３及び下部枠体５が成形されるのであればよい。
【００６７】
また、上部枠体３と下部枠体５は、同様の材料を用いて成形されるのであってもよいし、異なる材料を用いて成形されるのであってもよい。
【００６８】
以上説明したように、胴体部４に折目部４１が設けられて、胴体部４及び下部枠体５が上部枠体３の内壁内側に同心円状に畳み込まれるので、未使用時には縦方向により薄く折り畳むことができる。また、薄く折り畳むことができるので嵩張らず、携帯性及び収納性に優れている。
【００６９】
上部枠体及び下部枠体の材料は、胴体部よりも硬度の高い材料を用いているので、バケツの変形を防止し、バケツ内に貯留した水などを注いだり、捨てたりする作業を容易に行なうことができる。
【００７０】
上述の説明中の数値については、いずれも設計事項であり、実施例に限定されるものではない。
【００７１】
以上説明した実施形態は、本発明の一例に過ぎず、本発明の作用効果を奏する範囲において具体的構成などを適宜変更設計できることは言うまでもない。
【符号の説明】
【００７２】
１…折り畳み式バケツ
２…吊下部
３…上部枠体
４…胴体部
５…下部枠体
２１…吊下孔
４１…折目部
４２…薄肉部
４１１…山折り部
４１２…谷折り部
【図１】
2012246044.tif 000003
【図２】
2012246044.tif 000004
【図３】
2012246044.tif 000005
【図４】
2012246044.tif 000006
【図５】
2012246044.tif 000007
【図６】
2012246044.tif 000008
【図７】
2012246044.tif 000009
【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
下方に向かって先細り形状に一体形成されてなる折り畳み式バケツであって、
可撓性を有する軟質材料からなる胴体部と、
前記胴体部に用いられる材料よりも硬質の材料からなり、円環状に形成された下端部に前記胴体部が連設される上部枠体と、
前記胴体部に用いられる材料よりも硬質の材料からなり、前記胴体部の下端部に連設され、前記上部枠体よりも径小な円形の面を有する下部枠体と、を備え、
前記胴体部には、複数の環状の折目部が設けられ、前記上部枠体側から前記下部枠体側に向かって、前記折目部に沿って山折りと谷折りが交互に繰り返し折り返されることによって、前記胴体部及び前記下部枠体が前記上部枠体の内壁内側に同心円状に畳み込まれ、
前記上部枠体の外周面には、外方に突出する吊下部が設けられ、前記吊下部は、上下方向に貫通する吊下孔を有することを特徴とする折り畳み式バケツ。
【請求項２】
前記胴体部には、前記胴体部の折り曲げ方向に対応する薄肉部が設けられ、
前記薄肉部は、前記胴体部の外壁及び内壁に、各壁面をえぐったような形状で形成されてなり、
前記胴体部の外壁に設けた薄肉部と、前記胴体部の内壁に設けた薄肉部とが交互に配置され、
各薄肉部に設けられた前記折目部で山折り及び谷折りがなされて、前記胴体部が畳み込まれることを特徴とする請求項１に記載の折り畳み式バケツ。